(57)【要約】【課題】ユーザが通信中止したいときに、迅速にそれが行える通信端末装置を提供する。【解決手段】ＦＡＸ通信を開始（ＳＴ１）してから、ストップキー８ｂが押下されたか否かを判定し（ＳＴ２）、ストップキー８ｂが押下された場合に、表示部７に「通信を止めたいときは通信中止キーを押して下さい」の報知表示を行う（ＳＴ３）。次に、何らかのキーが操作されたか否か判定し（ＳＴ４）、何らかのキーが操作された場合に、更に通信中止キー８ｃであるか否か判定し（ＳＴ５）、通信中止キー８ｃである場合は、通信を中止するとともに、表示部７に通信中止画面を表示する（ＳＴ６）。通信中止キーｃが押下されたのでない場合は、上記報知表示を消す（ＳＴ９）。【選択図】      図２
2004247802.tif 000002
【特許請求の範囲】
【請求項１】
実行中の通信ジョブの中止を指示するための第１キーと、この第１キーによる中止の対象となる動作とは異なる動作の停止を指示するための第２キーとを備えた通信端末装置であって、
通信中に前記第２キーが操作された場合、ユーザに第１キーの操作を促す内容を報知する手段を備えたことを特徴とする通信端末装置。
【請求項２】
予約中の通信ジョブの予約解除を指示するための第１キーと、この第１キーによる解除の対象となる動作とは異なる動作の停止を指示するための第２キーとを備えた通信端末装置であって、
予約通信ジョブ有りの状態で、前記第２キーが操作された場合、ユーザに第１キーの操作を促す内容を報知する手段を備えたことを特徴とする通信端末装置。
【請求項３】
前記報知手段は、促した内容のキー操作がないまま所定時間が経過すると、報知を停止することを特徴とする請求項１又は請求項２記載の通信端末装置。
【発明の詳細な説明】
【０００１】
【発明の属する技術分野】
この発明は、ファクシミリ装置、ファクシミリ機能・コピー機能等の多機能を有する複合機等の通信端末装置に関する。
【０００２】
【従来の技術】
一般に、市販のファクシミリ装置、複合機等の通信端末装置では、通信中又は通信予約ジョブがある場合に、通信中止キーを押すと、実行中の通信ジョブの中止又は予約中の通信予約ジョブの予約解除ができるものがある。
【０００３】
ところで、利用者の操作／設定ミスを検知したとき、それに応じた音声メッセージを出力する技術は、既に知られている（例えば、特許文献１参照）。
【０００４】
【特許文献１】
特開２０００−２０１２４５号公報
【０００５】
【発明が解決しようとする課題】
上記した従来の通信端末装置では、通信中又は通信予約ジョブがある状態で、通信をストップあるいは通信予約を解除しようとして、ストップキーを押してもナック音（ピッピッという音）が出るのみで、通信中止、予約解除を行うことができない。
【０００６】
この場合のストップキー操作は、ミス操作と検出されるものではないから、上記特許文献１の技術を採用しても、直ちに通信中止、予約解除を行うことができない。そのため、通信中止キーを操作しないと、通信中止、予約解除ができないと知っていないと、直ちに中止、解除を行いたくても、それができない場合があり、通信中止、予約解除を行う場合、迅速な操作が行えないという問題がある。
【０００７】
この発明は上記問題点に着目してなされたものであって、ユーザが通信中止又は予約解除したいときに、迅速にそれが行える通信端末装置を提供することを目的とする。
【０００８】
【課題を解決するための手段】
この発明の請求項１に係る通信端末装置は、実行中の通信ジョブの中止を指示するための第１キーと、この第１キーによる中止の対象となる動作とは異なる動作の停止を指示するための第２キーとを備えた通信端末装置であって、通信中に前記第２キーが操作された場合、ユーザに第１キーの操作を促す内容を報知する手段を備えている。この発明の通信端末装置においては、通信ジョブを中止するため、第２キー、例えばストップキーを押しても、第１キー、例えば通信中止キーの操作を促す報知がなされる。そのため、ユーザは直ちに通信中止のため、第１キーを操作できる。報知は、例えば表示及び／又は音声で行う。
【０００９】
また、この発明の請求項２に係る通信端末装置は、予約中の通信ジョブの予約解除を指示するための第１キー（通信中止キー）と、この第１キーによる解除の対象となる動作とは異なる動作の停止を指示するための第２キー（例えば、ストップキー）とを備えた通信端末装置であって、予約通信ジョブ有りの状態で、前記第２キーが操作された場合、ユーザに第１キーの操作を促す内容を報知する手段を備えている。
【００１０】
【発明の実施の形態】
以下、実施の形態により、この発明を更に詳細に説明する。図１に、この発明の実施形態通信端末装置全体の概略構成を示すブロック図を示す。
【００１１】
この実施形態通信端末装置は、ファクシミリ機能とコピー機能とを備えたいわゆる複合機として構成したもので、ＮＣＵ（網制御回路：Ｎｅｔｗｏｒｋ  Ｃｏｎｔｒｏｌ  Ｕｎｉｔ）１と、ＭＯＤＥＭ２と、画像メモリ３と、ＲＡＭ４と、ＲＯＭ５と、主制御部６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、音声出力部１３と、バス１４とを備える。
【００１２】
主制御部（ＣＰＵ）６は、ＲＯＭ５に記憶するプログラムに従い、この装置を構成する各部を制御する機能を有する。後述する図２、図３に示す処理は、この制御部６の制御のもとに実行される。ＮＣＵ１は、通信回線である電話回線網（ＰＳＴＮ）１５との接続を制御すると共に、相手先の電話番号（ＦＡＸ番号を含む）に対応したダイヤル信号を送出する機能及び着信を検出するための機能を備えている。ＭＯＤＥＭ２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１３】
画像メモリ３は、受信画像データや画像読取部９で読み取った画像データを一時的に記憶する。ＲＡＭ４は、データ等を一時的に記憶する。ＲＡＭ４は、通信予約テーブル記憶部４ａを有する。ＲＯＭ５は、制御部６がこの装置を制御するためのプログラムを記憶する。表示部（ＬＣＤ）７は、アイコン、キーボタンの表示や、データの送受信に必要なメッセージ内容等を表示する。また、表示部７は、キー操作を促すためのメッセージも表示する。操作部８は、スタートキー８ａ、ストップキー８ｂ、通信中止キー８ｃの他、登録キー、ＦＡＸモード・コピーモード・スキャナモード等の複数の動作モードについてのモード切り替えを行うための動作モード切替キー、その他のキーを有する。ストップキー８ｂは、コピー動作における読み取り動作、又は記録動作を停止させるためのキーである。
【００１４】
画像読取部９は、ＦＡＸ送信するときにあるいはコピーするときに、原稿の画像データを光学的に走査して読み取る。画像記録部１０は、電子写真方式のプリンタよりなり、受信画像データやコピー動作において画像読取部９で読み取った原稿の画像データを記録紙上に記録する。
【００１５】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１６（ローカルエリアネットワーク）を構成する外部機器と接続され、ここを介して外部機器とのデータ授受を行う。外部ＰＣからデータ転送の要求を受けると、画像データをＬＡＮＩ／Ｆ１２、ＬＡＮ１６を介して、外部ＰＣに転送する。音声出力部１３は、キー操作を促すメッセージやその他のメッセージを音声出力する。
【００１６】
この実施形態複合機は、通信中にストップキー８ｂが操作されると、通信中止キー８ｃの操作を促す報知を行い、通信予約有りの状態で、ストップキー８ｂが操作されると、通信予約キー８ｃの操作を促す報知を行うようにしている。
【００１７】
次に、この実施形態複合機において、通信中における通信中止処理を、図２に示すフロー図を参照して説明する。先ず、ステップＳＴ１において、例えば操作部８のスタートキー８ａの操作等に基づいて、ＦＡＸ通信が開始される。続いて、ステップＳＴ２へ移行する。ステップＳＴ２においては、ストップキー８ｂが操作されたか否かを判定する。ユーザがストップキー８ｂを操作した場合は、ステップＳＴ３へ移行する。一方、ストップキー８ｂを押下していない場合は、ステップＳＴ７へ移行する。ステップＳＴ３においては、通信取消方法を示すメッセージを表示部７に表示する。表示内容は、例えば図３に示すように「通信を止めたいときは、通信中止キーを押してください」とする。この表示には、通信中ジョブに関する情報（相手先、送信枚数等）を併せて表示すると良い。次に、ステップＳＴ４へ移行する。
【００１８】
ステップＳＴ４においては、キー操作有りか否かを判定する。ユーザが何らかのキーを押下した場合は、ステップＳＴ５へ移行する。一方、何れのキーも押下されない場合は、ステップＳＴ８へ移行する。ステップＳＴ５においては、押下されたキーが通信中止キー８ｃか否かを判定する。通信中止キー８ｃが押下された場合は、ステップＳＴ６へ移行する。一方、通信中止キー８ｃが押下されていない場合は、ステップＳＴ９へ移行する。ステップＳＴ６においては、表示部７に通信中止画面を表示する。
【００１９】
ステップＳＴ８においては、ストップキー８ｂが押下されてから所定時間経過したか否かを判定する。所定時間経過していない場合は、ステップＳＴ４へ戻る。一方、所定時間が経過すると、ステップＳＴ９へ移行する。いずれかのキーが操作されるか、所定時間が経過するまでは、ステップＳＴ４、ＳＴ８の処理を繰り返す。ステップＳＴ９においては、所定時間が経過したか、あるいは何らかのキーが押下されたが、それが通信中止キー８ｃの押下でない場合に、ステップＳＴ３で表示した画面（Ａ）〔図３の表示〕を消去する。画像（Ａ）が消去されると、表示部７の表示内容は待機画面に戻る。待機画面では、必要に応じて「通信中」であることを示すメッセージが表示される。そして、ステップＳＴ２へ戻る。
【００２０】
ステップＳＴ７においては、通信終了か否かを判定し、まだ通信中の場合は、ステップＳＴ２へ戻る。すなわち、通信が終了するまで、ストップキー８ｂが押下されるか否かの監視を継続して行う。一方、通信終了の場合は、処理を終了する。
【００２１】
次に、他の実施形態として、予約中の通信ジョブの予約解除処理を行う場合を図４に示すフロー図を参照して説明する。この処理ルーチンに入ると、ステップＳＴ１１において、ＲＡＭ４の通信予約テーブル４ａを参照して、通信予約があるか否かを判定する。通信予約があれば、ステップＳＴ１２へ移行する。ステップＳＴ１２においては、ストップキー８ｂが操作されたか否かを判定する。ユーザがストップキー８ｂを操作した場合は、ステップＳＴ１３へ移行する。一方、ストップキー８ｂを押下していない場合は、ステップＳＴ１１へ戻る。ステップＳＴ１３においては、予約取消方法を示すメッセージ（Ｂ）を表示部７に表示する。表示内容は、例えば図５に示すように「通信予約を取り消したいときは、通信中止キーを押してください」とする。この表示には、予約ジョブに関する情報を併せて表示すると良い。次に、ステップＳＴ１４へ移行する。
【００２２】
ステップＳＴ１４においては、キー操作有りか否かを判定する。ユーザが何らかのキーを押下した場合は、ステップＳＴ１５へ移行する。一方、何れのキーも押下されない場合は、ステップＳＴ１７へ移行する。ステップＳＴ１５においては、押下されたキーが通信中止キー８ｃか否かを判定する。通信中止キー８ｃが押下された場合は、ステップＳＴ１６へ移行する。一方、通信中止キー８ｃが押下されていない場合は（押下されたキーが通信中止キー８ｃ以外のキーであった場合は）、ステップＳＴ１８へ移行する。ステップＳＴ６においては、表示部７に予約取消画面を表示する。ユーザは、予約取り消し画面に対して取り消したいジョブを選択して取り消し操作を行うことにより、取り消しが必要なジョブの送信予約を取り消すことができる。
【００２３】
ステップＳＴ１７においては、ストップキー８ｂが押下されてから所定時間経過したか否かを判定する。所定時間経過していない場合は、ステップＳＴ１４へ戻る。一方、所定時間が経過すると、ステップＳＴ１８へ移行する。いずれかのキーが操作されるか、所定時間が経過するまでは、ステップＳＴ１４、ＳＴ１７の処理を繰り返す。ステップＳＴ１８においては、所定時間が経過したか、あるいは何らかのキーが押下されたが、それが通信中止キー８ｃの押下でない場合に、ステップＳＴ１３で表示した画面（Ｂ）〔図５の表示〕を消去する。画像（Ｂ）が消去されると、表示部７の表示内容は待機画面に戻る。待機画面では必要に応じて「通信予約中」であることを示すメッセージが表示される。そして、ステップＳＴ１１へ戻る。
【００２４】
なお、この実施形態において、通信予約ジョブには、時刻指定送信における指定時刻待ちのジョブ、送信指示が重なったことによる回線空き待ちのジョブ、話中等によるリダイヤル待ちのジョブが含まれる。
【００２５】
また、上記実施形態では、通信中止キー８ｃの操作を促すための報知を表示部７によるメッセージ表示で行ったが、これに代えて、音声出力部１３による音声メッセージ出力（発呼）により行っても良い。あるいは、メッセージ表示による報知とともに音声メッセージによる報知を行うようにしても良い。
【００２６】
【発明の効果】
請求項１に係る発明によれば、実行中の通信ジョブの中止を指示するための第１キーと、この第１キーによる中止の対象となる動作とは異なる動作の停止を指示するための第２キーとを備えた通信端末装置であって、通信中に前記第２キーが操作された場合、ユーザに第１キーの操作を促す内容を報知する手段を備えているので、通信中止の指示には第１キーを使用すべきであることを知らない場合であっても、通信中止を確実に行える。
【００２７】
また、請求項２に係る発明によれば、予約中の通信ジョブの予約解除を指示するための第１キーと、この第１キーによる解除の対象となる動作とは異なる動作の停止を指示するための第２キーとを備えた通信端末装置であって、予約通信ジョブ有りの状態で、前記第２キーが操作された場合、ユーザに第１キーの操作を促す内容を報知する手段を備えているので、通信予約解除の指示には第１キーを使用すべきであると知らない場合であっても、予約解除を確実に行える。
【００２８】
また、請求項３に係る発明によれば、報知手段は、促した内容のキー操作がないまま所定時間が経過すると、報知を停止するので、必要のない報知（メッセージ表示等）がいつまでも続くのを防止できる。
【図面の簡単な説明】
【図１】この発明が実施される複合機の構成を示すブロック図である。
【図２】同実施形態複合機の通信中のジョブ中止処理を説明するフロー図である。
【図３】同実施形態複合機における通信取消を示すメッセージの表示例を示す図である。
【図４】他の実施形態である通信予約がある場合の予約解除処理を説明するフロー図である。
【図５】同予約解除方法を説明するメッセージの表示例を示す図である。
【符号の説明】
１        ＮＣＵ
２        ＭＯＤＥＭ
３        画像メモリ
４        ＲＡＭ
４ａ      通信予約テーブル
５        ＲＯＭ
６        主制御部
７        表示部
８        操作部
８ａ      スタートキー
８ｂ      ストップキー
８ｃ      通信中止キー
９        画像読取部
１０      画像記録部
１１      ＣＯＤＥＣ
１２      ＬＡＮＩ／Ｆ
１３      音声出力部
１４      バス
１５      公衆電話回線
１６      ＬＡＮ
【図１】
2004247802.tif 000003
【図２】
2004247802.tif 000004
【図３】
2004247802.tif 000005
【図４】
2004247802.tif 000006
【図５】
2004247802.tif 000007